(57)【要約】      （修正有）【課題】風呂場や調理室、トイレ室等の衛生を保ち、またカビや臭気の抑制する紫外線殺菌灯を提供する。【解決手段】紫外線殺菌灯４と人感センサ６及び／又は部屋の照明５及び部屋の照明スイッチ２とコントローラ３とで構成され、紫外線殺菌灯４と人感センサ６及び／又は部屋の照明５の消灯による人の不在状態の検知で紫外線殺菌灯４を点灯させ、紫外線殺菌灯４を連続点灯、或は、一定時間点灯及び／又は周期的に点灯させる様に制御するコントローラ３を備えた紫外線装置。【選択図】図１
2017029293.tif 000002
【特許請求の範囲】
【請求項１】
紫外線殺菌灯と人感センサで人の不在の検知及び／又は照明スイッチのオフ及び／又は、照度センサで照明の消灯を検知して、紫外線殺菌灯を点灯させるコントローラとで構成された紫外線装置
【請求項２】
紫外線殺菌灯を点灯する前に、警告音を鳴らす及び／又は警告する請求項１に記載の紫外線装置。
【請求項３】
紫外線殺菌灯を点灯する前に、照明を点滅する及び／又は警告用の照明を動作させる、請求項１又は２に記載の紫外線装置。
【請求項４】
部屋の照明に対しての照度センサの検知及び／又は、周囲の照明に対しての照度センサの検知があれば、紫外線殺菌灯を消灯するように構成された請求項１乃至３の何れか一に記載の紫外線装置。
【請求項５】
臭気センサの検知、及び／又はカビ臭センサの検知により、紫外線殺菌灯を点灯するように構成された請求項１乃至４の何れか一に記載の紫外線装置。
【請求項６】
音センサの検知により、紫外線の放射を停止するように構成された、請求項１乃至５の何れか一に記載の紫外線装置。
【請求項７】
部屋の扉の開状態を検知する手段を設け、開状態の検知で紫外線の放射を停止するように構成された、請求項１乃至６の何れか一に記載の紫外線装置。
【請求項８】
湿度センサの一定以上の湿度の検知で、紫外線殺菌灯を点灯するように構成された請求項１乃至７の何れか一に記載の紫外線装置。
【請求項９】
一定時間、及び／又は周期的に紫外線殺菌灯を点灯するように構成された請求項１乃至８の何れか一に記載の紫外線装置。
【請求項１０】
照明と前記紫外線装置をセットにした請求項１乃至９の何れか一に記載の紫外線装置。
【発明の詳細な説明】
【技術分野】
【０００１】
本発明は、風呂場や調理室、トイレ室等、の人の空間に紫外線殺菌灯を点灯して殺菌をする装置である。
【背景技術】
【０００２】
従来、冷蔵庫内に対して扉を閉めた時に紫外線殺菌灯を点灯する装置は発明されていたが、必要とされる調理室・台所や風呂場、トイレ等に対して、照明のオフや人の不在を検知しての紫外線放射で、衛生状態の維持や臭気の抑制は考えられてなかった。
【先行技術文献】
【特許文献】
【０００３】
【特許文献１】特開２００６−１２５１１
【発明の概要】
【発明が解決しようとする課題】
【０００４】
風呂場や調理室、トイレ等では、いくら綺麗にしても時間の経過で雑菌は繁殖する、それに伴い臭気も発生したりカビにも悩まされるが、食中毒の防止にも紫外線殺菌は必要である。それには人の不在時に自動で、照明のように紫外線殺菌灯を点灯して殺菌をすれば良い。
【課題を解決するための手段】
【０００５】
人感センサの不検知及び／又は照明の消灯で紫外線殺菌灯を点灯するコントローラと紫外線殺菌灯の装置を、照明に組込む、或は電球交換式で、或は壁や天井に貼付け或は、置いて設置、或は照明にぶら下げて設置する。前記、装置には更に照明を組込む場合もある。又、前記照明の消灯とは、部屋の照明スイッチのオフで、或は、照明に対しての照度センサの検知による。
動作は、前記コントローラで紫外線殺菌灯を、連続や一定時間、或は周期的に、或は臭気（カビにも）センサや湿度センサ等の反応により点灯させる。
更なる安全機能として、照明点灯中或は、音の検知、或は扉の開いてる時には紫外線放射を停止する、また紫外線殺菌灯の点灯の前には、照明の点滅や警告音等の動作もさせたり、点灯を遅らせたりする。
【発明の効果】
【０００６】
衛生状態を保つ、食中毒防止、臭気の防止、カビの発生を抑える。
【図面の簡単な説明】
【０００７】
【図１】照明スイッチ２は単極双投を使用して、照明５をオフで紫外線コントローラ３をオンにして、紫外線殺菌灯４を点灯するが、人感センサ６の検知では点灯しない。
【図２】図１の変型で、照明スイッチ１１は通常の単極単投で、その負荷側にスイッチ・オフを検知する配線をコントローラ３に接続する。コントローラ３にはスイッチ１１の電源側から電源供給を受ける。
【図３】図１から人感センサを無くし、更に扉スイッチ８を設け、扉が閉ってるのも検知して、紫外線放射をする。紫外線放射警告音１３やその照明１４も付けた。
【図４】置型或は、貼付けての設置で、人感センサ６と紫外線殺菌灯４と照明５を一つにした物。電源はＡＣコンセントからでも電池式でも良い。
【図５】図４から照明５を除き、照度センサ１５を付けた。
【図６】図４にセンサ類１０を付けたもので、殺菌灯の配置は図４と逆。
【図７】図５に吊下を付けた物。既存の照明やフックに吊下て設置可能。紫外線放射警告用の音１３やその照明１４も付けた。
【図８】蛍光灯５の横に紫外線殺菌灯４を取付けた照明装置１２。照度センサ１５で蛍光灯５の消灯を検知して紫外線殺菌灯４の自動点灯が可能。
【図９】照明装置だが、コントローラ３は別に設置して或は、蛍光灯型の紫外線殺菌灯４に内蔵する。また、照度センサ１５も内蔵して照明５の消灯を検知して紫外線殺菌灯４を点灯する事も可能。
【発明を実施するための形態】
【０００８】
基本構成は、紫外線殺菌灯４と人感センサ６で人の不在の検知及び／又は照明の消灯で紫外線殺菌灯を点灯するコントローラ３とで構成するが、更に照明も組込む場合もある。又、前記照明の消灯とは、部屋の照明スイッチのオフで、或は、照明に対しての照度センサ１５の不検知による。
また、コントローラ３は、スイッチ２では通電されて、スイッチ１１では照明スイッチのオフを検知して、人感センサ６では不検知で、照度センサ１５では消灯の検知で、紫外線殺菌灯を連続点灯、或は、一定時間点灯及び／又は周期点灯をする。
センサ類１０には、照度センサ、臭気センサ、カビ臭センサ、音センサ、湿度センサ、部屋の扉の開検知、の群から選ばれる１または２以上の機能を使用及び／又は併用しての動作をさせる。この群の照度センサとは、周囲の照明の検知をする。
前記の群に付いて、コントローラの紫外線殺菌灯への制御は、照度センサは周囲の照明を検知で、音センサは一定以上のレベルの検知で、部屋の扉は開検知で、夫々紫外線殺菌灯は不点灯への制御に、また臭気センサ、カビ臭センサ、湿度センサの群は一定以上のレベルの検知で、紫外線殺菌灯を点灯への制御条件とする。
【０００９】
コントローラ３と紫外線殺菌灯４を、照明或は、照明装置に組込む、或は紫外線殺菌灯とコントローラをセットにした照明を既存の照明と交換する形式で、或は紫外線殺菌灯とコントローラの装置を壁や天井に貼付け或は、置いて設置、或は照明にぶら下げて設置する。前記、紫外線殺菌灯とコントローラのセット或は、装置には各種のセンサは勿論、照明を組込む場合もある。電源はＡＣコンセントからでも電池式でも良い。
【００１０】
更に、紫外線放射への安全性確保の為に、警告音用ブザー及び／又は警告音用スピーカ１３によりブザーや音声に拠る警告や、警告用照明１４の点灯や点滅及び／又は照明の点滅で注意喚起をする。この間、或はこの場合に限らず安全上、紫外線殺菌灯の点灯を遅らせる事もある。
【００１１】
１・・照明の電源
２・・照明スイッチ、単極双投を使用
３・・紫外線殺菌灯のコントローラ
４・・紫外線殺菌灯
５・・照明
６・・人感センサ
７・・紫外線装置
８・・停止スイッチ及び／又は扉の開を検知して停止するスイッチ（詰まり、２つ設置の場合もある。）
９・・紫外線装置の吊り下げ装置
１０・・センサ類。照度センサ（周囲用）、臭気センサ、カビ臭センサ、音センサ、湿度センサの群から選ばれる１または２以上のセンサ
１１・・通常の単極単投の照明スイッチ
１２・・紫外線装置と照明
１３・・警告音用ブザー及び／又は警告音用スピーカ
１４・・警告用照明
１５・・照度センサ（直近用）
【図４】
2017029293.tif 000003
【図５】
2017029293.tif 000004
【図６】
2017029293.tif 000005
【図７】
2017029293.tif 000006
【図８】
2017029293.tif 000007
【図９】
2017029293.tif 000008
【図１】
2017029293.tif 000009
【図２】
2017029293.tif 000010
【図３】
2017029293.tif 000011